(57)【特許請求の範囲】
【請求項１】
遠心ペレットドライヤーのハウジング内に垂直に配置された細長い円筒状のスクリーンを支持するドライヤースクリーンのスクリーンサポートにおいて、
前記円筒状のスクリーンの中央部を囲み、剛性化し、支持するために、端部で分離可能に接続され、環状のサポートリングを形成する剛体からなる複数のリングセグメントからなり、
前記環状のサポートリングは、前記スクリーンの円筒形状を維持し、前記スクリーン内のブレード付きロータと同心関係に前記スクリーンを支持するために、円筒スクリーンを囲んで係合するように形成され、
前記リングセグメントは、前記スクリーンと係合するために円筒形状の内部バンドと、前記内部バンドの外面にあり前記内部バンドの高さより低い垂直高さを有する外部バンドとからなり、
前記リングセグメントの少なくとも一つは、前記ハウジングと協働して前記リングセグメントと前記スクリーンを支持し、前記リングセグメントを剛性化するために、前記外部バンドの上縁から前記外部バンドと前記内部バンドに垂直に外方に延びている周フランジを有することを特徴とするスクリーンサポート。
【請求項２】
前記周フランジは前記サポートリングに取り付けられていることを特徴とする請求項１に記載のスクリーンサポート。
【請求項３】
前記周フランジは前記サポートリングの全長にわたって延びていることを特徴とする請求項２に記載のスクリーンサポート。
【請求項４】
前記周フランジは、前記周フランジに垂直であって、かつ、前記サポートリングに垂直である端フランジと、隣接するリングセグメントの隣接端部を分離可能に接続するために前記端フランジを相互接続する分離可能な固着構造とを有することを特徴とする請求項３に記載のスクリーンサポート。
【請求項５】
前記リングセグメントの前記外部バンドと前記周フランジの各々は、半円形状であることを特徴とする請求項１に記載のスクリーンサポート。
【請求項６】
前記周フランジは前記ハウジングの内側に前記ブラケットから分離可能に支持するためのボルト穴を有することを特徴とする請求項５に記載のスクリーンサポート。
【請求項７】
前記周フランジの各端部は、該周フランジに垂直であってかつ前記内部バンドに垂直な端フランジと、前記スクリーンを囲んで接触して前記半円形状のリングセグメントを組み立てるために前記端フランジを相互接続する分離可能な固着手段とを備えていることを特徴とする請求項６に記載のスクリーンサポート。
【請求項８】
前記内部バンドは、前記外部バンドの端縁と千鳥配列で定位された端縁を有し、これにより前記内部バンドと前記外部バンドの端部は重なった千鳥配置であることを特徴とする請求項７に記載のスクリーンサポート。
【発明の詳細な説明】
【０００１】
【発明の属する技術分野】
本発明は、スクリーンを円筒形状に維持し、スクリーン内に回転可能に配置されたブレード付きロータと同心関係に維持するために、外部ハウジングからスクリーンの一部を囲み支持する２ピースの環状リングを有するペレットドライヤースクリーンサポートに関する。
【０００２】
【従来の技術】
遠心ペレットドライヤーは、公知であり、外部ハウジングと、該ハウジング内に定位された円筒スクリーンと、該スクリーン内に装着されたブレード付きロータとからなり、水とペレットからなるスラリーを上方に移動させ、遠心力によってスクリーンを介して水を排出することができる。スラリー入口と、水出口と、乾燥ペレット出口が設けられている。このタイプの遠心ペレットドライヤーは、本願出願人と同じ譲受人の所有にかかる米国特許第３,４５８,０４５号、第４,５６５,０１５号、第４,８９６,４３５号、第５,２６５,３４７号に開示されている。このようなドライヤーにおいて、ドライヤーの有効な運転を維持するために、スクリーンはロータの周縁と同心の円筒形状に維持されなければならない。前記特許はスクリーンを支持する構造を有するが、中央部がハウジングから適切に支持されていないと、円筒スクリーンの中央部はその円筒形状から変形する虞れがある。
【０００３】
前述の米国特許に加え、いくつかのドライヤーや材料セパレータは、水平軸または傾斜軸の回りに回転する。米国特許第２６４,８２４号、第３０１,８０３号、第３１９,５７２号、第５,３３４,５７号、第１,５９６,４２８号、第２,５３６,０５４号は、材料を分離するための多孔面を有し、水平に配置されまたは傾斜した回転可能な種々のドラムを有している。また、米国特許第４１１,７９９号、第４,０１７,３８７号、第４,１７８,２４６号、第４,５７０,３５９号、第４,４７６,０１９号、第５,１８７,８８０号、第５,６１１,１５０号には、垂直スクリーンおよびコンベヤ構造が開示されている。
【０００４】
前述の特許は、材料を受け入れる種々のスクリーンまたは多孔部材を開示している。このスクリーンまたは多孔部材は、それ自身回転するか、あるいは当該スクリーンまたは多孔部材を支持するために内部に装着されたロータを備えている。しかしながら、いずれの従来技術構造も、遠心ペレットドライヤーの円筒スクリーンの中央部を囲んで接触するように定位され、ドライヤーハウジングの内部のブラケットと支持係合するために外方に延びるフランジを含む２ピースの剛性リングは有していない。
【０００５】
【発明が解決しようとする課題】
本発明の目的は、ブレード付きロータによってスクリーン内を上方に搬送される水とプラスチックペレットからなるスラリーから水を分離し、水をスクリーンを介して遠心力で排出し、乾燥ペレットをスクリーンの上端部から排出するのに使用される遠心ペレットドライヤーの中央に垂直に配置された細長い円筒スクリーンを形成するスクリーン部の中央部を支持する支持構造を提供することにある。円筒スクリーンを支持する構造は、スクリーンを剛に囲み係合して、その円筒形状を維持するとともに、ブレード付きロータの回転軸に対して同心に維持する。
【０００６】
本発明の他の目的は、遠心ペレットドライヤーの円筒スクリーンのセンターリングサポートにおいて、複数ピースの剛性環状リングの形状であって、円筒スクリーンの中央部でその外周を囲んで係合するセンターリングサポートを提供することにある。
【０００７】
本発明のさらなる目的は、環状バンドを有し、該バンドがその剛性化のために外面に半径方向に延びる周フランジを備え、これにより円筒スクリーンと係合する剛性リングを形成するセンターサポートリングを提供することにある。
【０００８】
本発明のさらなる目的は、前記周フランジが、フランジをペレットドライヤーの外部ハウジングの内面のブラケットに接続するために、ボルト受入穴を有する遠心ペレットドライヤーのセンターサポートリングを提供することにある。
【０００９】
本発明のさらなる目的は、前記周フランジの端部が垂下フランジ端を有し、該周フランジの垂下フランジ端が分離可能な固着手段によって互いに接続され、環状リングを形成する複数要素を剛に接続し、円筒スクリーンに対する環状リングの着脱を可能にするセンターサポートリングを提供することにある。
【００１０】
本発明のさらなる目的は、幅広の内部バンド部材と、周フランジの内縁と一体で内部バンドと接触する幅狭の外部バンド部材とからなる環状リングを有し、内部バンド部材と外部バンド部材の隣接端部は互いに千鳥配列され、環状リングをさらに有効に剛性化しているセンターサポートリングを提供することにある。
【００１１】
本発明の前記目的並びに他の目的および効果は、請求項に記載しまた後で添付図面を参照して十分に説明する詳細な構成と作用から明らかとなる。図において同一符号は同一部材を示す。
【００１２】
【課題を解決するための手段】
本発明が適用されるペレットドライヤーは、垂直に配置されたハウジングと、該ハウジングの中に支持され、少なくとも２つの垂直に配置された部分からなる円筒スクリーンと、該スクリーン内に定位されたブレード付きロータとを有し、水とプラスチックペレットからなるスラリーをスクリーンを介して上方に搬送し、スクリーンを介して水を外方に遠心力により排出する一方、乾燥ペレットをスクリーンおよびハウジングの上端から公知の方法で排出することができる。本発明のサポートリングは、２つのスクリーンが合致するスクリーンの垂直方向のほぼ中央領域に定位され、形状が円形で、２ピース構造を有している。これにより、サポートリングをスクリーンの外面で組み立てることができる。このようにして、サポートリングは、スクリーンの中央部をロータと同心の円筒形状に維持し、スクリーンを介してのスラリーの上方への有効な搬送と水の有効な排出とを可能にする。サポートリングは、外方に延びる周フランジを備え、該周フランジは、ハウジングの内面に周方向に間隔を置いて定位された支持ブラケットに支持係合され接続されている。これにより、スクリーンの中央部を有効に支持して、その円筒形状を維持することができる。
【００１３】
【発明の実施の形態】
以下、本発明の好ましい実施形態を一つ説明するが、以下の説明および図面に記載の部材の構造および配置に限定されるものではない。本発明は他の実施形態も可能であり、種々の方法で実施することができる。また、好ましい実施形態を説明するにあたって、明確のために特定の用語を使用する。各用語は類似の方法で機能し類似の目的を達成する技術的に均等な用語を全て含むことを理解すべきである。
【００１４】
図面を参照すると、図１は、参照符号１０で全体に示す遠心ペレットドライヤーを示す。遠心ペレットドライヤー１０は垂直ハウジング１２を有し、その中には円筒スクリーン１４が収容されている。図に示すスクリーンは２つの垂直方向に配置された部分１４ａ，１４ｂを有する。スクリーン１４は符号１６で全体的に示すロータを囲みそれと同心になっている。ロータ１６は、水とプラスチックペレットからなるスラリーをスクリーン１４の底の入口２２からスクリーン１４の上端部の出口２４まで上昇させるために、中心シャフト１８と傾斜ブレード２０を有している。水はスクリーン１４を通過し、ハウジング１２の底にある水出口２６を介して排出される。スクリーン１４の上端および下端は、環状のリング状部材２８またはその他前述の特許公報に記載された公知の従来の支持構造によって支持されている。
【００１５】
本発明のセンターサポートリングは、図１−６に示すように、符号３０によって全体的に示され、スクリーン１４の円筒形状を支持しかつ維持するとともに、スクリーン１４とシャフト１８の回転軸との同心性を維持するために、スクリーン１４の垂直高さ方向の中間部分に定位されている。センターサポートリング３０は、ハウジング１２の内面に周方向に配置された点において複数のブラケット構造３２によって支持されている。
【００１６】
センターサポートリング３０の詳細構造は、図２−６に示されている。このサポートリング３０は、分離可能な固着構造３６によって径方向に対向する位置で接合された２つの半円部材であるリングセグメント３１ａ，３１ｂからなる。サポートリング３０は、内部バンド部材３８と外部バンド部材４０とを有し、それらは長さ方向に接続された関係にある。内部バンド部材３８の垂直高さは３インチ（７６．２ｍｍ）のオーダーであり、外部バンド部材４０は１インチ（２５．４ｍｍ）の高さであってもよい。内部バンド部材３８の外面であって外部バンド部材４０の上縁には、剛性化周フランジ４２が設けられている。この周フランジ４２は、外部バンド部材４０の上縁に沿って内部バンド部材３８に溶接することによって、内部バンド部材３８にそのほぼ中央に剛に固定されている。周フランジ４２は、約２インチ（５０．８ｍｍ）の幅があり、コネクタ４６を受け入れるために周方向に配置された複数のボルト穴４４を有している。ボルトは、ハウジング１２に取り付けられたブラケット３２の対応する穴を貫通し、これによりセンターサポートリング３０をハウジング１２に分離可能に接続して、センターサポートリング３０を支持し、スクリーン１４の中央部を支持し剛性化している。
【００１７】
環状リング３４の半円セグメントは、図５に示すようにフランジセグメント４２の両端にある垂下端フランジ５０を貫通しているボルトアセンブリ４８を含む固着構造３６によって相互に接続されている。端フランジ５０は、周フランジ４２の端部を下方に折り曲げて形成され、開口を備えている。端フランジ５０は、環状サポートリング３０の半円セグメント間での組立と剛性接続を可能にするために、僅かに離れて配置されている。図４に示すように、内部バンド部材３８は終端５２を有している。これらの終端５２は端フランジ５０間の空間とほぼ一致している。外部バンド部材４０は、終端５２と千鳥配列関係にある端縁５４を有している。これにより、図４に示すように、バンド部材３８と４０の間に入れ子式の重ね継手が設けられている。図６に示すように、周フランジ４２は、一定間隔離れた領域５６で狭い外部バンド部材４０に溶接され、これにより周フランジ４２と外部バンド部材４０の剛なアセンブリを形成している。ボルト穴４４の位置は、ハウジング１２の形状と支持ブラケット３２の位置に依存して変化させてもよい。
【００１８】
センターサポートリング３０は、該リング３０の半円リングセグメント３１ａ，３１ｂをスクリーン部１４ａ，１４ｂの中央部に位置決めし、固着ボルト４８を使用して端フランジ５０を接続することによって、スクリーン１４に容易に組み付けることができる。これにより、スクリーン１４が剛性化され、その円筒形状が維持され、ロータ１６の回転軸との同心性が維持される。次に、周フランジ４２は組立ボルト４６およびアームロッド５６によってハウジング１２のブラケット３２に接続され、これによりセンターサポートリング３０とスクリーン１４の中央部に対する支持が与えられる。ハウジング１２の形状は変更することができ、そのハウジング１２の形状に応じてハウジング１２のブラケット３２の位置も変更することができる。スラリー入口、水出口、ピレット出口、ロータを駆動する構造は、通常の方法で運転される公知の構造である。センターサポートリング３０は、種々のタイプの遠心プラスチックペレットドライヤーにおけるスクリーンの円筒形状を支持し維持するために、容易に組み立てられる有効な構造を提供する。
【００１９】
以上は本発明の原理のみを示すものである。また、多くの修正や変更を当業者に容易に行うことができる。本発明は以上説明し図示した構成および作用に限定することは望まれない。したがって、適切な修正や均等は全て本発明の範囲内に入るものである
【００２０】
【発明の効果】
以上の説明から明らかなように、本発明によれば、サポートリングをスクリーンの外面で組み立てることができ、スクリーンの中央部をロータと同心の円筒形状に維持し、スクリーンを介してのスラリーの上方への有効な搬送と水の有効な排出とが可能になる。
【図面の簡単な説明】
【図１】  遠心ペレットドライヤーに組み込まれた本発明のセンターサポートリングを示す概略断面図。
【図２】  図１のセンターサポートリングの平面図。
【図３】  図１のセンターサポートリングの側面図。
【図４】  内部バンド部材の終端と、外部バンド部材の端縁と、フランジの端部の端フランジとの間の関係を示す平面図。
【図５】  フランジの端部の端フランジが分離可能な固着ボルトによって相互接続されている状態を示す部分正面図。
【図６】  フランジと外部バンド部材との間の溶接関係を示すセンターサポートリングのセグメントのさらなる詳細平面図。
【図７】  スクリーン部の中央部を接続し支持するのに使用される従来の２ピースのセンターサポートリングまたは接続バンドを示す概略断面図。
【符号の説明】
１０  遠心ペレットドライヤー
１２  垂直ハウジング
１４  円筒スクリーン
１６  ロータ
１８  中心軸
２０  ブレード
２２  入口
２４  出口
２６  水出口
２８  環状リング部材
３０  センターサポートリング
３１ａ，３１ｂ  リングセグメント
３２  ブラケット構造
３４  バンド
３６  固着構造
３８  内部バンド部材
４０  外部バンド部材
４２  周フランジ
４４  ボルト穴
４６  ボルト
４８  固着ボルトアセンブリ
５０  垂下端フランジ
５２  終端
５４  端縁
【図１】
0004633882.tif 000002
【図２】
0004633882.tif 000003
【図３】
0004633882.tif 000004
【図４】
0004633882.tif 000005
【図５】
0004633882.tif 000006
【図６】
0004633882.tif 000007
【図７】
0004633882.tif 000008